(57)【特許請求の範囲】
【請求項１】
親局と複数の子局との間で通信を行う多ポイント通信システムであって、前記親局及び前記複数の子局各々に設けられかつ前記複数の子局から前記親局への情報伝送をスペクトラム拡散方式で行う無線部と、前記親局に設けられかつ前記複数の子局各々の識別を前記複数の子局各々に予め割り付けた前記スペクトラム拡散方式の拡散符号に基づいて行う手段と、前記親局及び前記複数の子局各々に設けられかつ前記スペクトラム拡散方式の拡散符号及び逆拡散符号の繰返し周期からなるタイミング信号をＮ分周（Ｎは整数）するＮ分周手段と、前記親局及び前記複数の子局各々に設けられかつ前記Ｎ分周手段の出力を計数するフレーム計数回路と、前記親局及び前記複数の子局各々に設けられかつ前記フレーム計数回路のカウントアップをトリガとするマルチフレーム計数回路と、前記親局に設けられかつ前記複数の子局各々の時間軸を定義するための特定パターンを前記複数の子局各々に送信する手段と、前記複数の子局各々に設けられかつ前記親局からの前記特定パターンの受信に応答して前記フレーム計数回路及び前記マルチフレーム計数回路各々をリセットする手段とを有することを特徴とする多ポイント通信システム。
【請求項２】
前記フレーム計数回路及び前記マルチフレーム計数回路は、ソフトウェアプログラムによるソフトウェアカウンタ及びマイクロプロセッサ内に具備されたプログラマブルカウンタのうちのいずれかであることを特徴とする請求項１記載の多ポイント通信システム。
【請求項３】
前記親局と前記複数の子局との間の通信は、ＴＤＭＡ（Ｔｉｍｅ−Ｄｉｖｉｓｉｏｎ  Ｍｕｌｔｉｐｌｅ  Ａｃｃｅｓｓ）方式による無線部で行うようにしたことを特徴とする請求項１または請求項２記載の多ポイント通信システム。
【請求項４】
前記親局から複数の子局への通信は、ＴＤＭ（Ｔｉｍｅ−Ｄｉｖｉｓｉｏｎ  Ｍｕｌｔｉｐｌｅ）方式による同報を可能とする無線部で行い、前記複数の子局から前記親局への通信は、前記ＴＤＭＡ方式による時分割多元接続を可能とする無線部で行うようにしたことを特徴とする請求項３記載の多ポイント通信システム。
【請求項５】
前記親局と前記複数の子局との間の通信は、前記ＴＤＭＡ方式に基づくＴＤＭＡ−ＴＤＤ［ＴＤＭＡ（Ｔｉｍｅ−Ｄｉｖｉｓｉｏｎ  Ｍｕｌｔｉｐｌｅ  Ａｃｃｅｓｓ）  Ｔｉｍｅ−Ｄｉｖｉｓｉｏｎ  Ｄｕｐｌｅｘ］方式による無線部で行うようにしたことを特徴とする請求項３記載の多ポイント通信システム。
【請求項６】
前記親局と前記複数の子局との間の通信は、同一な時間軸でかつある一定時間帯で前記親局から前記複数の子局へＴＤＭ（ＴＤＭ：Ｔｉｍｅ−Ｄｉｖｉｓｉｏｎ  Ｍｕｌｔｉｐｌｅ）方式による同報通信を行い、前記一定時間帯以外の時間帯に前記複数の子局から前記親局へＴＤＭＡ（Ｔｉｍｅ−Ｄｉｖｉｓｉｏｎ  Ｍｕｌｔｉｐｌｅ  Ａｃｃｅｓｓ）方式による時分割多元接続による通信を行うようにしたことを特徴とする請求項５記載の多ポイント通信システム。
【発明の詳細な説明】
【０００１】
【発明の属する技術分野】
本発明は多ポイント通信システム及びそれを用いた競りシステムに関し、特にｐ−ｍｐ（ポイント対マルチポイント）な多ポイント通信システムにおいて１つの親局と複数の子局との間で通信する際にある一定時間内に複数の子局から親局へ情報伝送が行われる場合、親局で複数の子局から親局へ送られる意思表示した時刻の情報を監視し、また意思表示した時刻の情報を相互判定し、最先の時刻を提示した子局を抽出する技術に関する。
【０００２】
【従来の技術】
１つの親局と複数（ｎ：ｎは２以上の整数）の子局との間で相互通信を行う多ポイント通信システムが競りシステムにも使われているが、この場合、通信媒体としては有線によるものが一般的である。近年、この競りシステムにも無線を媒体にしたシステムが導入されてきている。
【０００３】
競りシステムにおいて、購買者（落札希望者）の購買意志を無線で伝送するシステムでは、購買者が持つ無線端末機に取付けられた押しボタン型の応札用ボタンを押すことによって、この購買意志の提示情報が無線端末機からの電波に乗せられて親局に送信される。
【０００４】
一方、親局では無線端末機から送られてくる購買意志の提示情報を受信し、購買の意志が他の購買者より早く提示されていれば落札処理し、競り（落札）が行われる。
【０００５】
通常、競り市場には購買者が複数参加しており、購買者が持つ無線端末機の数は１０〜２００台であり、競り市場の形態（花卉、動物、魚、自動車等）、競り方（競り上げ、競り下げ等）によっては、これら複数の無線端末機からほぼ同時に購買意志の提示（落札希望）を含む情報が親局に送信される。
【０００６】
このような多ポイント通信システムでは、従来、周波数分割多重方式（ＦＤＭ：Ｆｒｅｑｕｅｎｃｙ−Ｄｉｖｉｓｉｏｎ  Ｍｕｌｔｉｐｌｅ）による微弱無線や、特定小電力無線で実現されている。
【０００７】
【発明が解決しようとする課題】
上述した従来の周波数分割多重方式による多ポイント通信システムでは、各購買者（落札希望者）が無線端末機を持つことから、購買者を認識するために購買者数分の無線周波数が必要となる。
【０００８】
また、上記の多ポイント通信システムにおいて親局は購買者数分の無線周波数にて購買意志を含む情報等、短時間（１〜３秒間以内が望ましい）に受信し、複数の購買者から購買の意志が提示されているか否かを判別し、落札処理しなければならない。
【０００９】
さらに、複数の購買者から購買の意志が提示されている場合には一人の落札希望者まで絞り込まなければならないため、子局の無線端末機と親局との間に情報の往復が発生し、落札処理に時間がかかる。
【００１０】
上記の課題を解決するために、親局においては購買者数分の無線周波数を数グループに分割して受信処理を行う場合がある。例えば、５０ＭＨｚの周波数帯域を５グループに分割し、さらに１０ＭＨｚの帯域をグループ内で数チャネル（１つのチャネルは１つの無線端末機に対応付けされる）に細分割して無線周波数を設定する場合がある。この場合には親局がグル−プ毎に無線機を備え、並列処理を行う。
【００１１】
しかしながら、親局においては、各グループ毎に購買意志を含む情報を短時間（１〜３秒間以内が望ましい）に受信し、一人の落札希望者まで絞り込むべく、全てのチャネルをスキャン（探査）する必要がある。
【００１２】
通常、チャネルを切替えてスキャンするが、親機の受信機側に備える局部発振器の周波数をＰＬＬ（ｐｈａｓｅ  ｌｏｃｋ  ｌｏｏｐ）シンセサイザで変えて行うのが一般的である。
【００１３】
しかしながら、この局部発振器はＰＬＬで構成されるので、周波数が安定するまでに時間がかかる（安定するまでの時間はロック時間と呼ぶ）。例えば、ＰＬＬのロック時間が１チャネル当たり５０ｍｓとすれば、一つのグループ内の全てのチャネルをスキャンするのには「５０（ｍｓ）×チャネル数」以上の時間がかかってしまう。また、親局が各グループ毎に無線機を持てば、全グル−プのスキャン（探査）が終了するまで待つ必要がある。
【００１４】
競りが開始され、複数の購買希望者から購買意志の提示があった場合や、購買希望者が無く、競り価格を上下させ、再度落札処理を行う毎に、スキャンをしなければならず、落札処理に時間がかかる。
【００１５】
また、競り市場では落札処理に公平性が要求されるが、上記の例では第１チャネル目と第ｎチャネル目との間に５０×ｎ（ｍｓ）の時間差があるため、５０×ｎ（ｍｓ）以内に応札用ボタンが押されれば、周波数をスキャンする方向によっては後から押された方が先に購買意志が検出され、落札処理をしてしまう場合がある。
【００１６】
さらに、落札処理はソフトウェアプログラムやハードウェアによる一元的な処理（例えば、第１チャネル目から第ｎチャネル目までの一定な手順による処理）では公平性に欠けるという問題も生じる。
【００１７】
一方、これらの課題を解決するために、特開平９−２５９２０１号公報に記載の技術ではＳＳ（Ｓｐｒｅａｄ  Ｓｐｅｃｔｒｕｍ）方式を利用したシステムで、無線端末の時刻を統一し、伝送デ−タに応札の意思表示した時刻を付加する方法が提案されている。この中で、短時間内での高トラフィックな通信はＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）方式による多重アクセス技術で実現している。
【００１８】
しかしながら、この方法ではいわゆる無線ＬＡＮ（Ｌｏｃａｌ  Ａｒｅａ  Ｎｅｔｗｏｒｋ）伝送制御方式を競りシステムに適応したもので、競り取引コントロ−ラと競り人無線端末機及び競り参加人無線端末機との間の通信が１種類の拡散／逆拡散符号を使って行うものと推定される。この場合、一定時間内に競り人無線端末機及び競り参加人無線端末機から競り取引コントロ−ラへの無線伝送が輻輳すると、無線伝播路で衝突が発生する。
【００１９】
本来、ＣＳＭＡ／ＣＡ方式はこの衝突があっても、ＣＳＭＡ／ＣＡプロトコルによってランダムな時間後、再度伝送を行い、他の無線機からの妨害も無く伝送品質が保てれば、通信ができることを前提にした方式である。
【００２０】
無線伝播路で衝突がある場合、競り人無線端末機及び全ての競り参加人無線端末機から応札情報等を取得するために、ＣＳＭＡ／ＣＡプロトコルを無線機毎に実行しなければならないので、ソフトウェアプログラムの実行と通信とに時間がかかる。
【００２１】
また、上記公報記載の技術では競りの公平性を実現するために、先着順判定機能を用いることが提案されている。これは競り取引コントロ−ラに具備された計時手段からの時間信号（時刻）を、競り人無線端末機及び全ての競り参加人無線端末機に送り、それぞれの無線端末機に具備された計時手段がこの時間信号に統一される。しかも、この統一された時刻は応札時に競り取引コントロ−ラに送られ、競り取引コントロ−ラ内で時刻の比較を行い、最先の応札者が決まる。
【００２２】
しかしながら、競り取引コントロ−ラや無線端末機に具備された計時手段についての詳細は不明であるが、時間信号（時刻）による時刻の統一の面ではソフトウェアプログラムによる処理が介在して行われるのが一般的である。全ての無線端末機ではソフトウェアプログラムによる処理行程、時間がそれぞれ異なることから、時間信号（時刻）で計時手段を統一するにしても無線端末機相互間で約１０ｍ秒〜１秒程度のばらつきが生じる。
【００２３】
特開平９−３１９８００号公報に記載の技術では、競りに参加する購買者の識別にＩＤ（識別情報）が使われ、このＩＤを他のデ−タに含めて通信相手に送っており、複数の競りに参加する購買者の識別にＩＤが使われ、競り人端末機や競り参加人端末機から競り取引コントロ−ラに送る情報（デ−タ）の中に含めている。
【００２４】
この方法はランダムな情報（デ−タ）伝送を行うシステムに対しては効果的だが、競りシステムのように、一定期間内にある情報が輻輳するようなシステムでは情報（デ−タ）量が増えることで伝送効率が低下し、ソフトウェアプログラムによる処理時間が増えるので、これらが高トラフィックな通信の妨げになってしまう。
【００２５】
特開平１１−３２８２９０号公報に記載の技術では、無線端末に計時手段を備え、デ−タ送信時に、計時情報を他のデ−タに含めて親局に送っており、買参人無線端末を識別するために、上記の特開平９−３１９８００号公報記載の技術と同様に、ＩＤが使われ、他のデ−タに含めて通信相手に送っている。この技術でも一定期間内にある情報が輻輳するようなシステムであれば、伝送効率の低下やソフトウェアプログラムによる処理時間の増加を招くことになる。
【００２６】
また、競りの公平性を実現するために、買参人無線端末に現時刻を計時する計時部を具備し、スイッチが押された時にこの計時部から出力される時刻デ−タを送信データに含めて親局無線機に送り、成功した通信で最も早い通信を有効とし、通信順序の逆転を防止している。
【００２７】
しかしながら、買参人無線端末の現時刻を計時する計時部は時計機能を持つ汎用ＩＣ（集積回路）と水晶振動子とからなっているのが一般的である。ところが、親局無線機からの時刻制御手段がないため、買参人無線端末の計時部の精度がシステム全体の精度になる。よって、高安定度な発振周波数精度を持つ水晶振動子でなければ、全ての買参人無線端末の現時刻にばらつきが生じる。このばらつきは発振周波数精度、温度や経年変化にもよるが、最低でも１秒〜３０秒程度のばらつきになるものと推測されるので、公平性が保てなくなる。
【００２８】
特開平９−１９８５３９号公報に記載の技術では、親局が子局に計時開始の合図（タイマリセットコマンド）を送信し、子局の計時手段を同期スタートさせ、落札しようとする参加者が持つ子局に具備された押しボタンを押すと、この計時手段の計数が停止し、その停止後、親局が子局の計測時間を収集している。
【００２９】
この計時手段はマイクロコンピュータの周辺に付随する、時計用汎用ＩＣまたはクロック（“１０１０”の繰返しの信号）を計数するハードウェアによるカウンタ、またはマイクロコンピュータに内蔵するプログラマブルカウンタ、さらにソフトウェアプログラムによるソフトカウンタで実現することが一般的である。
【００３０】
しかしながら、上述した特開平９−２５９２０１号公報に記載の技術と同様に、計時開始の合図にしたがって全ての子局の計時手段をソフトウェアプログラムで制御する場合には、ソフトウェアプログラムによる処理行程、時間がそれぞれ異なることから、計時手段を統一するにしても子局相互間で約１０ｍ秒〜１秒程度のばらつきが生じる。
【００３１】
また、落札しようとする参加者が持つ子局に具備された押しボタンを押すと、この計時手段の計数が停止し、停止後、親局が子局の計測時間を収集しているが、この処理過程で押しボタンが押されているか否かの判定、押された時の計時手段の計数停止はソフトウェアプログラムで処理しているため、両者に時間遅延が生じる。また、この時間遅延は全ての子局の計時手段に生じるため、子局全体に計測時間のばらつきが生じる。
【００３２】
そこで、本発明の目的は上記の問題点を解消し、公平性を保つことが可能な競り方法を実現することができる多ポイント通信システム及びそれを用いた競りシステムを提供することにある。
【００３３】
【課題を解決するための手段】
本発明による多ポイント通信システムは、親局と複数の子局との間で通信を行う多ポイント通信システムであって、前記親局及び前記複数の子局各々に設けられかつ前記複数の子局から前記親局への情報伝送をスペクトラム拡散方式で行う無線部と、前記親局に設けられかつ前記複数の子局各々の識別を前記複数の子局各々に予め割り付けた前記スペクトラム拡散方式の拡散符号に基づいて行う手段と、前記親局及び前記複数の子局各々に設けられかつ前記スペクトラム拡散方式の拡散符号及び逆拡散符号の繰返し周期からなるタイミング信号をＮ分周（Ｎは整数）するＮ分周手段と、前記親局及び前記複数の子局各々に設けられかつ前記Ｎ分周手段の出力を計数するフレーム計数回路と、前記親局及び前記複数の子局各々に設けられかつ前記フレーム計数回路のカウントアップをトリガとするマルチフレーム計数回路と、前記親局に設けられかつ前記複数の子局各々の時間軸を定義するための特定パターンを前記複数の子局各々に送信する手段と、前記複数の子局各々に設けられかつ前記親局からの前記特定パターンの受信に応答して前記フレーム計数回路及び前記マルチフレーム計数回路各々をリセットする手段とを備えている。
【００３４】
本発明による競りシステムは、親局と複数の子局との間で通信を行うシステムにおいて、前記親局及び前記複数の子局各々に設けられかつ前記複数の子局から前記親局への情報伝送をスペクトラム拡散方式で行う無線部と、前記親局に設けられかつ前記複数の子局各々の識別を前記複数の子局各々に予め割り付けた前記スペクトラム拡散方式の拡散符号に基づいて行う手段と、前記親局及び前記複数の子局各々に設けられかつ前記スペクトラム拡散方式の拡散符号及び逆拡散符号の繰返し周期からなるタイミング信号をＮ分周（Ｎは整数）するＮ分周手段と、前記親局及び前記複数の子局各々に設けられかつ前記Ｎ分周手段の出力を計数するフレーム計数回路と、前記親局及び前記複数の子局各々に設けられかつ前記フレーム計数回路のカウントアップをトリガとするマルチフレーム計数回路と、前記親局に設けられかつ前記複数の子局各々の時間軸を定義するための特定パターンを前記複数の子局各々に送信する手段と、前記複数の子局各々に設けられかつ前記親局からの前記特定パターンの受信に応答して前記フレーム計数回路及び前記マルチフレーム計数回路各々をリセットする手段とを含む多ポイント通信システムを備え、
前記複数の子局各々は、購買意志の提示を行うための応札用ボタンスイッチと、前記応札用ボタンスイッチのオンオフをトリガとして前記フレーム計数回路及び前記マルチフレーム計数回路の計数値をラッチするラッチ手段と、前記応札用ボタンスイッチの押下に応答して前記購買意志の提示と前記ラッチ手段にラッチされた購買意志を提示した時刻とを含む情報及び競りに参加したい旨の意思表示を示すアテンド情報を前記親局に送る手段とを備え、
前記親局は、前記複数の子局からの前記購買意志の提示と前記時刻とを含む情報及び前記アテンド情報を保存する参照テーブルと、前記参照テーブルを参照して前記購買意志の提示が予め指定された数以上の場合に新しい競り価格を提示して前記競りを続行しかつ前記購買意志の提示が予め指定された数未満の場合に前記複数の子局からの前記購買意志の提示と前記時刻とを含む情報及び前記アテンド情報を基に最も早い時刻を提示した購買者に落札させる前記競りの落札処理を行う手段と、前記落札処理において同一時刻がある場合に新しい競り価格を提示して一人の落札希望者まで絞り込む手段とを備えている。
【００３５】
すなわち、本発明の多ポイント通信システムは、ｐ−ｍｐ（ポイント対マルチポイント）な多ポイント通信システムにおいて、１つの親局と複数の子局との間で通信する際に、特にある一定時間内に複数の子局から親局へ情報が送られる場合、親局と複数の子局との間の通信をＳＳ（Ｓｐｒｅａｄ  Ｓｐｅｃｔｒｕｍ）方式（直接拡散方式）による無線部で行っている。これによって、予め複数の子局各々に割り当てたＳＳ方式の拡散符号を用いて複数の子局各々の識別を行うことが可能となる。
【００３６】
この無線部はアンテナを含む高周波数の送信回路及び受信回路と、位相変復調回路と、スペクトラム拡散を行うスペクトラム拡散回路と、スペクトラム逆拡散回路と、該拡散符号及び逆拡散符号の繰返し周期からなるタイミング信号をＮ分周（Ｎは整数）するＮ分周回路と、複数の子局間相互の時刻を設定するフレーム計数回路と、マルチフレーム計数回路と、時刻の基準を決めるマ−カを作成するフリップフロップと、押しボタン型の応札ボタンが押される毎に該フレーム計数回路の計数値とマルチフレーム計数回路の計数値とを捕獲するラッチ（押しボタン型の応札ボタンとラッチとは子局の無線端末機の送信部にのみ具備される）と、競りを実行するためのマイクロプロセッサからなる処理部とから構成されている。よって、これらフレーム計数回路及びマルチフレーム計数回路各々の計数値を当該多ポイント通信システムの時刻情報として用いることで、複数の子局各々からの情報先着順を判断することが可能となる。
【００３７】
複数の子局の無線端末機から親局への通信を行う場合、複数の子局の無線端末機の識別はそれぞれの無線端末機毎に予め割付けた拡散符号で行っている。また、親局と複数の子局の無線端末機との相互間の時間軸合わせとしては、子局の無線端末機の受信部で親局が送るベースバンド信号に付加されたユニークワ−ド（ＵＷ）符号を信号処理回路で検出し、このユニークワ−ド（ＵＷ）検出信号とマイクロプロセッサからなる処理部の制御出力信号とを論理積（論理和でも良い）してマ−カとし、フリップフロップ回路を介してマルチフレ−ムマ−カ（ＭＦＲ＃０）を設定し、逆拡散符号の繰返し周期からなるタイミング信号と子局の無線端末機の送信部に具備されたＰＮ（Ｐｓｅｕｄｏ  Ｎｏｉｓｅ  ｐａｔｔｅｒｎ）符号発生回路の繰返し周期タイミングを同期させ、フリップフロップ回路を介してマルチフレ−ムマ−カを生成する時にフリップフロップ回路の出力で送信部に具備されたマルチフレーム計数回路を同期させることで子局の無線端末機の受信部と送信部との時間軸を合わせている。よって、複数の子局各々のフレーム計数回路が逆拡散回路に含まれるＰＮ符号発生回路の符号周期に同期したタイミング信号で動作することで、複数の子局各々の絶対時間軸合わせをばらつきを生ずることなく、容易に行うことができ、時間軸のずれも生じない。
【００３８】
複数の子局の無線端末機において購買意志を提示する場合には、フレーム計数回路の計数値とマルチフレーム計数回路の計数値とを購買意志の提示した時刻（フレーム計数回路及びマルチフレーム計数回路の計数値）とし、子局の無線端末機の送信部には押しボタン型の応札ボタンを備え、応札ボタンを押すことによってアテンド提示と購買意志の提示と購買意志を提示した時刻とを含む情報を親局に送信している。
【００３９】
これに対し、親局では子局の無線端末機から送られてきたアテンド提示と購買意志の提示と購買意志を提示した時刻とを含む情報を受信し、アテンド提示と購買の意志とが提示されていれば落札処理を行う。
【００４０】
また、親局では落札処理で複数の購買者からのアテンド提示と購買の意志とが提示されている時、一人の落札希望者まで絞り込む際、絞り込み論理によって複数の応札ボタンが押されてから落札処理を行うまでの処理時間を短縮している。
【００４１】
親局の処理部はこの絞り込み論理における購買者数分のアテンド提示と、購買の意志の提示と、購買意志を提示した時刻とを記録しておく参照テーブルを備え、この参照テーブルを参照して購買の意志が予め指定された数（数は概ね３〜４とする）以上の場合に、予め指示された競り価格の上下幅に基づいて即、競り価格を上げまたは下げ、新しい競り価格を提示するとともに、競りを続行する。
【００４２】
一方、購買の意志が予め指定された数未満の場合には購買者から示されている購買意志を提示した時刻を参照し、最も早い時刻を提示した購買者（落札希望者）に落札させる落札処理を行う。但し、同一時刻である場合には、予め指定された価格の上下幅に基づいて即、競り価格を上げまたは下げ、新しい競り価格を提示するとともに、競りを続行する。
【００４３】
本発明は上記の各手段と、絞り込み論理とを備えることによって、複数の落札希望者がいても落札希望者が一人になるまで、各手段と購買意志を提示した時刻とを参照して判定するので、公平な落札処理を迅速に行うことが可能となる。
【００４４】
尚、親局の落札処理におけるアテンド提示は参照テーブルを参照し、アテンド提示が有るか無いかで、購買者が落札処理（競り）に参加するか、中断も含めて参加しないかの意志を確認している。アテンド提示が無ければ以後の処理を行わないので、処理時間を短縮することが可能となる。
【００４５】
また、購買意志を提示した時刻はフレーム計数回路及びマルチフレーム計数回路の計数値で示されるが、特に親局の送信部のフレーム計数回路及びマルチフレーム計数回路の計数値が競りシステム全体の時間軸（基準）を決めている。しかも、時間軸はハードウェアによる各手段で実現しているため、ソフトウェアプログラムによる介在がないので、電波伝播遅延分を除き、システム全体での時間遅延やばらつきが少なく、時間遅延があってもチップレ−ト単位である。
【００４６】
子局の受信部のフレーム計数回路及びマルチフレーム計数回路は、親局の送信部が送出したＳＳ波に含むスペクトラム拡散符号と子局の受信部のスペクトラム逆拡散符号との間で相関値（ＰＮ符号の中から特定のパターンを検出し、ＰＮ符号の繰返し周期を見つけて時間軸を決める）がとれた位置をタイミングとするタイミング信号がＮ分周回路でＮ分周（Ｎは整数）され、出力であるカウントトリガ信号で計数する。このカウントトリガ信号の精度は拡散符号のチップレート単位であるので、高精度である。
【００４７】
さらに、子局の送信部のフレーム計数回路及びマルチフレーム計数回路は子局の送信部のスペクトラム拡散符号発生回路に含まれるＰＮ符号発生回路の繰返し周期タイミングをＮ分周（Ｎは整数）するＮ分周回路で分周され、このＮ分周回路の出力であるカウントトリガ信号で計数する。このＰＮ符号発生回路の繰返し周期タイミングを基に子局の受信部で相関値がとれたタイミングで同期をとれば、子局の送信部の時間軸は親局の時間軸に容易に合わせることが可能となる。
【００４８】
さらにまた、子局の無線端末機の受信部で、親局が送るベースバンド信号に付加されたユニークワ−ド（ＵＷ）符号を信号処理回路で検出し、このユニークワ−ド（ＵＷ）検出信号とマイクロプロセッサからなる処理部の制御出力信号を論理積（論理和でも良い）してマ−カとし、フリップフロップ回路を介してマルチフレ−ムマ−カ（ＭＦＲ＃０）とするが、このフリップフロップ回路の出力とを送信部のマルチフレーム計数回路に渡して同期をとれば、受信部と送信部とのマルチフレ−ムマ−カは同じ位置（時間軸）になる。これによって、親局の送信部と複数の子局の送信部との時間軸は子局の受信部を介して容易に合わせることが可能となる。
【００４９】
上記のように、各購買者が持つ無線端末機の識別処理を簡略し、複数の購買の意志が提示されてから一人の落札希望者に絞り込むまでの落札処理を行う処理時間を短縮可能とし、競り価格の提示に対して購買の意志を最初に示した購買者（落札希望者）に落札させる手段を備えることで、いわゆる公平性を保つことが可能な競りシステムが実現される。
【００５０】
【発明の実施の形態】
次に、本発明の一実施例について図面を参照して説明する。図１は本発明の一実施例による送信部の構成を示すブロック図である。図１において、本発明の一実施例による送信部は処理部（ＣＰＵ：中央処理装置）１１と、位相変調回路１２と、スペクトラム拡散回路１６と、無線送信部２０と、フレーム計数回路２１と、マルチフレーム計数回路２２と、フリップフロップ（以下、Ｆ／Ｆとする）２３と、ラッチ２４と、応札用ボタンスイッチ２５と、論理積回路２６と、アンテナ２７とから構成されている。
【００５１】
位相変調回路１２は信号処理回路１３と、搬送波発生回路１４と、乗算回路１５とを備え、スペクトラム拡散回路１６は拡散符号発生回路１７と、Ｎ分周回路１８と、乗算回路１９とを備えている。
【００５２】
図２は本発明の一実施例による受信部の構成を示すブロック図である。図１において、本発明の一実施例による受信部は処理部（ＣＰＵ）３１と、位相復調回路３２と、スペクトラム逆拡散回路３６と、無線受信部４０と、フレーム計数回路４１と、マルチフレーム計数回路４２と、Ｆ／Ｆ４３と、論理積回路４４と、アンテナ４５とから構成されている。
【００５３】
位相変調回路３２は信号処理回路３３と、搬送波発生回路３４と、乗算回路３５とを備え、スペクトラム逆拡散回路３６は逆拡散符号発生回路３７と、Ｎ分周回路３８と、乗算回路３９とを備えている。
【００５４】
図３は本発明の一実施例による多ポイント通信システムの構成例を示すブロック図である。図３において、本発明の一実施例による多ポイント通信システムは子局（無線端末機）５０−１〜５０−ｎと親局６０と中央処理装置７０と表示装置８０とから構成されている。
【００５５】
子局５０−１〜５０−ｎ及び親局６０は処理部（ＣＰＵ）５２−１〜５２−ｎ，６１と、送信部５３−１〜５３−ｎ，６２と、受信部５４−１〜５４−ｎ，６３と、ダイプレクサ５５−１〜５５−ｎ，６４と、アンテナ５６−１〜５６−ｎ，６５とから構成されている。また、子局５０−１〜５０−ｎにはそれぞれ応札用ボタン５１−１〜５１−ｎを備えている。
【００５６】
尚、子局５０−１〜５０−ｎ及び親局６０の送信部５３−１〜５３−ｎ，６２及び受信部５４−１〜５４−ｎ，６３の構成は重複部分もあるが、図１に示す送信部及び図２に示す受信部と同様の構成となっている。但し、親局６０の送信部にはラッチ２４及び応札用ボタンスイッチ２５を備えていない。
【００５７】
本実施例による多ポイント通信システムはＳＳ方式（Ｓｐｒｅａｄ  Ｓｐｅｃｔｒｕｍ）方式（直接拡散方式）によって１つの親局６０と無線端末機である子局５０−１〜５０−ｎとが１対Ｎ（Ｎは２以上の整数）の多ポイント無線通信システムを構成してなっている。
【００５８】
通信形態としては１つの親局６０から子局５０−１〜５０−ｎへは同報または１対１で、一方、子局５０−１〜５０−ｎから親局６０へはランダム、時分割に通信を行うことができる形態となっている。
【００５９】
また、無線周波数については各購買者（落札希望者）が個別に無線端末機を持つが、親局６０から子局５０−１〜５０−ｎへの通信路と、子局５０−１〜５０−ｎから親局６０への通信路（子局５０−１〜５０−ｎの全ての無線端末機は同一無線周波数を使って通信する）に対し、異なる無線周波数が割り当てられている。その他、子局５０−１〜５０−ｎの無線端末機数が多く、グル−プ構成にする場合にはグループ毎に１つの無線周波数を割り当て、親局６０対子局５０−１〜５０−ｎである複数のグループによるシステムで構成される場合もある。
【００６０】
子局５０−１〜５０−ｎの無線端末機には無線端末機毎にチャネル［周波数分割多重方式（ＦＤＭ：Ｆｒｅｑｕｅｎｃｙ  Ｄｉｖｉｓｉｏｎ  Ｍｕｌｔｉｐｌｅｘ）では無線周波数を無線端末機毎に割り付ける］が割り付けられるが、このチャネルは拡散符号発生回路１７のスペクトラム拡散符号の符号パターンと対応付けされ、予め親局６０及び子局５０−１〜５０−ｎの無線端末機の処理部（ＣＰＵ）５２−１〜５２−ｎ，６１に記憶されている。
【００６１】
つまり、周波数分割多重方式では無線端末機の数だけ無線周波数を必要とするが、ＳＳ方式では１つの無線周波数でも、無線端末機毎に異なるスペクトラム拡散符号でも親局６０と子局５０−１〜５０−ｎとの間で符号があえば良く、親局６０は無線端末機毎に割付けられたスペクトラム逆拡散符号を順次変えることで無線端末機を識別することができ、それぞれの通信路も確保することができる。
【００６２】
したがって、本実施例では親局６０の送信部６２は１からＮの通信系なので１種類の拡散符号があれば良く、一方、受信部６３はＮから１の通信系なので、アテンド、購買の意志、購買意志を提示した時刻の情報を短時間（１〜３秒間以内が望ましい）に受信するためには、全ての無線端末機に対応するスペクトラム逆拡散符号を順次変えて受信すれば良い。
【００６３】
通常、受信系でスペクトラム逆拡散符号を変えてから相関値［ＰＮ（Ｐｓｅｕｄｏ  Ｎｏｉｓｅ  ｐａｔｔｅｒｎ）符号の中から特定のパターンを検出し、ＰＮ符号の繰返し周期を見つけて時間軸を決める］がとれるまでに時間がかかるが、この時間は拡散符号のチップ数、チップレ−トや、通信距離（伝播遅延）にもよるが、シンセサイザで局部発振器の周波数を変え、周波数が安定するまでの時間より短い。近年、市販されているシンセサイザＩＣの中には周波数が短時間に安定するものがあるが、むしろ周波数を変更するための制御に時間がかかるのが一般的である。
【００６４】
図４は本発明の一実施例によるフレーム及びマルチフレームのフレ−ム構成を示す図であり、図５は本発明の一実施例による多ポイント通信システムの処理動作を示すフローチャートである。これら図１〜図５を参照して本発明の一実施例による多ポイント通信システムの処理動作について説明する。まず、公平な落札処理を行うための手段について説明する。
【００６５】
上記の多ポイント通信システムにおいて、１つの親局６０と複数の子局５０−１〜５０−ｎとの間で通信する際、特にある一定時間内、複数の子局５０−１〜５０−ｎから親局６０へ情報伝送が行われる場合、親局６０では子局５０−１〜５０−ｎからの情報が輻輳する。
【００６６】
もしも何の方策も講じなければ、親局６０の情報処理タイミング、処理論理または手順によっては、後から購買意志の提示を示した購買者（落札希望者）に落札し、不公正が生じる可能性がある。対策として、本実施例では上述した特開平９−２５９２０１号公報、特開平１１−３２８２９０号公報、特開平９−１９８５３９号公報にそれぞれ示されるような時刻情報、計時手段やタイマによる時刻合わせ手段とは異なる手段を持っている。
【００６７】
本実施例では親局６０と複数の子局５０−１〜５０−ｎとの間の通信がＳＳ方式（直接拡散）による無線部［処理部（ＣＰＵ）１１，３１を除く送信部及び受信部］と、競りを実行するためのマイクロプロセッサからなる処理部（ＣＰＵ）１１，３１，５２−１〜５２−ｎ，６１で行う。
【００６８】
特に、図１に示す送信部はアンテナ２７を含む高周波数の無線送信部２０と、一次変調を行う位相変調回路１２と、二次変調（スペクトラム拡散）を行うスペクトラム拡散回路１６と、複数の子局間相互の時刻を合わせるために使用する時刻情報を生成するフレーム計数回路２１と、このフレーム計数回路２１のカウントアップ（ｃａｒｒｙ  ｏｖｅｒ）をトリガとするマルチフレーム計数回路２２（フレーム計数値の整数倍）と、マルチフレ−ムマ−カを生成するＦ／Ｆ２３とから構成されている。
【００６９】
図２に示す受信部はアンテナ４５を含む無線受信部４０と、一次復調を行う位相復調回路３２と、二次復調（スペクトラム逆拡散）を行うスペクトラム逆拡散回路３６と、送信部と同じく複数の子局間相互の時間軸を合わせるためのフレーム計数回路４１と、このフレーム計数回路４１のカウントアップ（ｃａｒｒｙ  ｏｖｅｒ）をトリガとするマルチフレーム計数回路４２（フレーム計数値の整数倍）と、マルチフレ−ムマ−カを生成するＦ／Ｆ４３とから構成されている。
【００７０】
子局５０−１〜５０−ｎの無線端末機の送信部５３−１〜５３−ｎにのみ、図１に示す送信部のように、応札用ボタンスイッチ２５（図３の応札用ボタン５１−１〜５１−ｎ）と、応札用ボタンスイッチ２５が押されたタイミングでフレーム計数回路２１の計数値とマルチフレーム計数回路２２の計数値とを捕獲するラッチ２４が含まれている。尚、応札用ボタンスイッチ２５とラッチ２４とを除く各回路及び手段は親局６０と子局５０−１〜５０−ｎの無線端末機との間で共通となっている。また、図１に示す処理部（ＣＰＵ）１１と図２に示す処理部（ＣＰＵ）３１とは区別して記載しているが、送信部及び受信部において兼用して１つの処理部（ＣＰＵ）としても良い。
【００７１】
次に、フレーム計数回路２１，４１とマルチフレーム計数回路２２，４２とについて説明する。フレーム計数回路２１，４１及びマルチフレーム計数回路２２，４２各々の構成は図１に示す送信部及び図２に示す受信部と同じであるが、機能は親局６０と子局５０−１〜５０−ｎとで異なっている。
【００７２】
まず、親局６０のフレーム計数回路２１及びマルチフレーム計数回路２２の機能について図１に示す送信部を参照して説明する。送信部の拡散符号発生回路１７はある周期性を持つＰＮ符号発生回路（図示せず）と拡散符号対符号選択信号を対応付ける記憶回路（図示せず）とからなり、このＰＮ符号を拡散符号としている。
【００７３】
ＰＮ符号は自己相関関数を持つＭ系列やＧｏｌｄ系列の符号系列によって発生されるもので、チップ数または拡散数に応じたある繰返し周期をもって発生する。本実施例ではＰＮ符号の周期がチップ数と同じく、一次変調を行う位相変調回路１２の１シンボルに割り当てている。また、拡散符号は親局６０から子局５０−１〜５０−ｎの無線端末機の受信部５４−１〜５４−ｎに対して同報または１対１の通信なので、１種類割り付けられる。
【００７４】
一方、フレーム計数回路２１は拡散符号発生回路１７のＰＮ符号発生回路がある繰返し周期をもって発生するタイミング信号をＮ分周回路１８でＮ分周（Ｎは整数１〜１６の任意の値）し、この出力であるカウントトリガ信号でｆ（ｆは２５６）を計数する計数回路である。
【００７５】
Ｎ分周回路１８はＰＮ符号発生回路の繰返し周期が短かく、処理部（ＣＰＵ）１１による割込み処理を介したソフトウェアプログラムによるソフトウェアカウンタまたはマイクロプロセッサ内に具備されたプログラマブルカウンタが計数できない場合、処理することができるまで周期を延ばすために備えている。
【００７６】
分周数Ｎの値は一次変調を行う位相変調回路１２のシンボルレートと拡散符号発生回路１７のチップレートと処理部（ＣＰＵ）１１の処理能力との兼ね合いで決められ、１〜１６の値としている。但し、分周値が大きくなると、購買意志を提示した時刻の情報分解能が下がるので、できるだけ小さな値にすることが望ましい。また、処理部（ＣＰＵ）１１による介在を要しない場合には分周値を１として動作させることもできる。
【００７７】
マルチフレーム計数回路２２はフレーム計数回路２１のカウントアップ（ｃａｒｒｙ  ｏｖｅｒ）をトリガとするもので、フレーム計数値の整数倍ｍ（ｍは３２）を計数する。このマルチフレーム計数回路２２はフレーム計数値の整数倍ｆ単位で、しかもマイクロプロセッサからなる処理部（ＣＰＵ）１１の制御で任意の位置にマルチフレームマーカ（フレーム計数値の整数倍ｍ単位で周期性を示す目印であり、第０番目のマルチフレーム：ＭＦＲ＃０）を設定することができる。
【００７８】
また、マルチフレームマーカの設定と同時に、１フレーム長より短いユニークワ−ド（ＵＷ）符号が処理部（ＣＰＵ）１１でベースバンド信号に付加され、送信デ−タの一部として親局６０から子局５０−１〜５０−ｎの無線端末機に送信される。ここで、ユニークワ−ドは複数の子局５０−１〜５０−ｎの時間軸をハードウェアで定義するために使用するためのものである。
【００７９】
親局６０の処理部（ＣＰＵ）６１はユニークワ−ド（ＵＷ）符号をベースバンド信号に付加し、送信データの一部として親局６０から全ての子局５０−１〜５０−ｎに送信する。一方、子局５０−１〜５０−ｎでは信号処理回路３３にてそのユニークワ−ド（ＵＷ）符号を検出し、マーカとする。このユニークワ−ド（ＵＷ）符号は親局６０から子局５０−１〜５０−ｎに対して同報されるので、伝播遅延の時間差はあるものの、ほぼ同時刻に検出される。
【００８０】
図２に示す受信部の信号処理回路３３の詳細な構成については図示していないが、一次復調回路とユニークワ−ド（ＵＷ）符号検出回路とからなり、特にユニークワ−ド（ＵＷ）符号検出回路は複数ビットからなる特定のパターンを検出する回路である。
【００８１】
マルチフレームマーカの生成は図４に示すように、フレーム計数回路２１のカウントアップ（ｃａｒｒｙ  ｏｖｅｒ）をＦ／Ｆ２３のクロックとし、ユニークワ−ド（ＵＷ）符号のベースバンドへの送出と同時に、処理部（ＣＰＵ）１１の制御で論理積回路２６から出力されるマ−カをＦ／Ｆ２３のデ−タとし、Ｆ／Ｆ２３の出力でマルチフレーム計数回路２２の計数値を０（第０番目）のマルチフレームマーカに設定する。同時に、フレーム計数回路２１の計数値も０に設定される。
【００８２】
以後、マルチフレーム計数回路２２はフレーム計数回路２１のカウントアップ（ｃａｒｒｙ  ｏｖｅｒ）をトリガとし、カウントアップするまで計数を続け、カウントアップした後、０に戻る。以後、マルチフレーム計数回路２２はこの動作を繰り返す。
【００８３】
尚、フレーム計数回路２１とマルチフレーム計数回路２２を処理部（ＣＰＵ）１１の中に取込み、Ｎ分周回路１８の出力であるカウントトリガ信号を割込み（トリガ）とするソフトウェアプログラムで動作するソフトカウンタや処理部（ＣＰＵ）１１に内蔵するプログラマブルカウンタで実現しても良い。両者の選択は処理部（ＣＰＵ）１１におけるソフトウェアプログラムの処理速度、量（負荷）によって決められる。しかしながら、処理部（ＣＰＵ）１１のソフトウェアプログラム処理の負担を少なくしたい場合には本実施例のように処理部（ＣＰＵ）１１の外に備えた方が良い。
【００８４】
次に、親局６０における受信部６３のスペクトラム逆拡散回路３６とフレーム計数回路４１及びマルチフレーム計数回路４２との機能について図２に示す受信部を参照して説明する。
【００８５】
逆拡散符号発生回路３７は送信部の拡散符号発生回路１７と同様に、ある周期性を持つＰＮ符号発生回路（図示せず）と逆拡散符号対符号選択信号を対応付ける記憶回路（図示せず）とからなり、このＰＮ符号を逆拡散符号としている。この逆拡散符号は子局５０−１〜５０−ｎの送信部５３−１〜５３−ｎから親局６０の受信部６３への通信路を設定すべく、子局５０−１〜５０−ｎの無線端末機数分、異なった種類の符号を持っている。また、この逆拡散符号は予め親局６０の処理部（ＣＰＵ）６１に記憶されるとともに、子局５０−１〜５０−ｎの無線端末機にも割付けられている。
【００８６】
一方、フレーム計数回路４１は送信部と同様に、逆拡散符号発生回路３７のＰＮ符号発生回路がある繰返し周期をもって発生するタイミング信号をＮ分周回路３８でＮ分周（Ｎは整数）し、この出力であるカウントトリガ信号でｆ（ｆは２５６）を計数する。また、このフレーム計数回路４１のカウントアップ（ｃａｒｒｙ  ｏｖｅｒ）をトリガとするのがマルチフレーム計数回路４２（フレーム計数値のｍ整数倍）である。
【００８７】
このマルチフレーム計数回路４２はフレーム計数値のｆ整数倍単位で、しかもマイクロプロセッサからなる処理部（ＣＰＵ）３１の制御で任意の位置にマルチフレームマーカ（フレーム計数値の整数倍ｆ単位の周期的な目印、第０番目のマルチフレーム）を設定することができる。つまり、処理部（ＣＰＵ）３１の制御で論理積回路４４から出力されるマ−カをＦ／Ｆ４３のデ−タとし、Ｆ／Ｆ４３の出力でマルチフレーム計数回路４２の計数値を０（第０番目）のマルチフレームマーカに設定する。同時に、フレーム計数回路４１の計数値も０に設定される。
【００８８】
このフレーム計数回路４１やマルチフレームマーカは子局５０−１〜５０−ｎの無線端末機から親局６０に送られる購買意志と購買意志を提示した時刻とを含む情報を受信する際、ある一定期間待機する必要がある時、この待機するタイマのトリガとして使用することや、子局５０−１〜５０−ｎの無線端末機が親機６０と時間軸が合っているかを処理部（ＣＰＵ）３１で確認する必要がある時に使用する。
【００８９】
尚、親局６０の受信部６３は子局５０−１〜５０−ｎの送信部５３−１〜５３−ｎとの通信路を設定すべく、逆拡散符号を頻繁に変えるので、逆拡散符号発生回路３７ではその都度、子局５０−１〜５０−ｎの拡散符号と親局６０の逆拡散符号との自己相関をとることになるが、自己相関がとれるまでＰＮ符号発生回路が発生するタイミング信号に不連続が生じる場合がある。
【００９０】
しかしながら、一度自己相関がとれれば、逆拡散符号を変えない限り、また子局５０−１〜５０−ｎが送信していれば、このタイミング信号は安定する。また、タイミング信号の不連続性で支障ある機能は、送信部のＰＮ符号発生回路がある繰返し周期をもって発生するタイミング信号やマルチフレームマーカを使用すれば、このフレーム計数回路４１及びマルチフレーム計数回路４２とＦ／Ｆ４３とを使用しない。
【００９１】
次に、子局５０−１〜５０−ｎの無線端末機におけるフレーム計数回路２１及びマルチフレーム計数回路２２の機能について図１に示す送信部を参照して説明する。
【００９２】
送信部の拡散符号発生回路１７はある周期性を持つＰＮ符号発生回路（図示せず）と、拡散符号対符号選択信号を対応付ける記憶回路（図示せず）とからなり、このＰＮ符号を拡散符号としている。この拡散符号は子局５０−１〜５０−ｎの送信部５３−１〜５３−ｎから親局６０の受信部６３への通信路を設定すべく、子局５０−１〜５０−ｎの無線端末機数分、異なった種類の符号があり、この拡散符号としては予め子局５０−１〜５０−ｎの無線端末機専用の符号が割付けられている。
【００９３】
一方、フレーム計数回路２１はＰＮ符号発生回路がある繰返し周期をもって発生するタイミング信号をＮ分周回路１８でＮ分周（Ｎは整数）し、この出力であるカウントトリガ信号でｆ（ｆは２５６）を計数する計数回路である。また、このフレーム計数回路２１のカウントアップ（ｃａｒｒｙ  ｏｖｅｒ）をトリガとするのがマルチフレーム計数回路２２（フレーム計数値のｍ整数倍）である。このマルチフレーム計数回路２２はフレーム計数値のｆ整数倍単位で、ｍ（ｍは３２）を計数する。
【００９４】
また、子局５０−１〜５０−ｎの図２に示す受信部のＦ／Ｆ４３の出力をマルチフレーム計数回路２２に取込み、図１に示す送信部のマルチフレームマーカ（フレーム計数値の整数倍単位の周期的な目印、第０番目のマルチフレーム：ＭＦＲ＃０）を設定することで、これら受信部と送信部とを同期させることができる。尚、子局５０−１〜５０−ｎでの時間軸合わせはマルチフレームマーカが付けられたマルチフレーム第０番目に含まれるフレームの第０番目（ＦＲ０）を基準としている。
【００９５】
次に、子局５０−１〜５０−ｎの無線端末機から親局６０に送られる購買意志と購買意志を提示した時刻とを含む情報を送る際、処理部（ＣＰＵ）１１は応札用ボタン２５が押下されたことを割込みとして認識し、同時に押下されたタイミングでフレーム計数回路２１の計数値ｆとマルチフレーム計数回路２２の計数値ｍとをラッチ２４で捕獲し、それらの値を読取り、それらの値でもって購買意志を提示した時刻としている。
【００９６】
本実施例ではフレーム計数回路２１の計数値ｆは０〜２５５、マルチフレーム計数回路２２の計数値ｍは０〜３１としているが、各計数値の上限は競りシステムの形態、シンボルレートとチップレートの関係や処理速度に合わせて決めれば良い。特に、このマルチフレームの計数値０をマルチフレームマーカとしているが、マルチフレーム及びマルチフレームマーカの機能は親局６０と子局５０−１〜５０−ｎの無線端末機相互間の時間軸合わせに使用されるとともに、購買者がわずかな時間差でもって応札用ボタン２５を押下した場合、１つ前のフレーム計数値（０〜２５５）と、現在のフレーム計数値（０〜２５５）と、後のフレーム計数値（０〜２５５）との３つのサイクルに同じフレーム計数値ｆが現れる場合がある。
【００９７】
これらを区別するために、フレーム計数値ｆとマルチフレームの計数値ｍとが使われるが、マルチフレーム計数回路２２の計数値以上の時間差でもって応札用ボタン２５が押下された場合には無視することもできるし、時間差を増やしたい時はマルチフレームの計数値ｍを増やせばよい。
【００９８】
尚、このフレーム計数回路２１とマルチフレーム計数回路２２とを処理部（ＣＰＵ）１１の中に取込み、Ｎ分周回路１８の出力であるカウントトリガ信号を割込み（トリガ）とするソフトウェアプログラムで動作するソフトカウンタや処理部（ＣＰＵ）１１に内蔵するプログラマブルカウンタで実現しても良い。両者の選択は処理部（ＣＰＵ）１１におけるフトウェアプログラムの処理速度、量（負荷）によって決められる。
【００９９】
次に、子局５０−１〜５０−ｎの無線端末機におけるフレーム計数回路４１及びマルチフレーム計数回路４２の機能について図２に示す受信部を参照して説明する。
【０１００】
図２に示す受信部の逆拡散符号発生回路３７はある周期性を持つＰＮ符号発生回路（図示せず）と逆拡散符号対符号選択信号を対応付ける記憶回路（図示せず）とからなり、このＰＮ符号を逆拡散符号としている。また、逆拡散符号は親局６０から子局５０−１〜５０−ｎの無線端末機の受信部５４−１〜５４−ｎに対する同報または１対１の通信路なので、１種類割付けられる。
【０１０１】
子局５０−１〜５０−ｎの無線端末機の図２に示す受信部のフレーム計数回路４１及びマルチフレーム計数回路４２は親局６０の送信部６２が送出したＳＳ波に含まれるスペクトラム拡散符号と子局５０−１〜５０−ｎの受信部５４−１〜５４−ｎのスペクトラム逆拡散符号との間で相関値がとれたタイミング信号をＮ分周回路３８でＮ分周（Ｎは整数）し、この出力であるカウントトリガ信号でｆ（ｆは２５６）を計数する計数回路である。
【０１０２】
このカウントトリガタイミングは電波伝播遅延分を除けば、全ての子局５０−１〜５０−ｎの受信部５４−１〜５４−ｎで同じ位置となる。また、マルチフレーム計数回路４２はフレーム計数回路４１のカウントアップ（ｃａｒｒｙ  ｏｖｅｒ）をトリガとして計数する。
【０１０３】
このマルチフレーム計数回路４２は親局６０が送るベースバンド信号に付加されたユニークワ−ド（ＵＷ）符号を信号処理回路３３で検出し、このユニークワ−ド（ＵＷ）検出信号とマイクロプロセッサからなる処理部（ＣＰＵ）３１の制御出力信号とを論理積回路４４で論理積（論理和でも良い）してマ−カとし、Ｆ／Ｆ４３を介してマルチフレ−ムマ−カ（ＭＦＲ＃０）を設定している。
【０１０４】
このＦ／Ｆ４３の出力は子局５０−１〜５０−ｎの図１に示す送信部のマルチフレーム計数回路２２にも取込まれ、送信部のマルチフレームマーカ（フレーム計数値の整数倍単位の周期的な目印、第０番目のマルチフレーム：ＭＦＲ＃０）を設定し、これら受信部と送信部とを同期させることができる。また、マルチフレームマーカは親局６０との時間軸を確認するためや、図５に示すように、購買の意志と購買意志を提示した時刻との情報を子局５０−１〜５０−ｎから親局６０へと連続して送るが、送信を停止するタイミングにも使用される。
【０１０５】
尚、このフレーム計数回路４１とマルチフレーム計数回路４２とは処理部（ＣＰＵ）３１の中に取込み、Ｎ分周回路３８の出力であるカウントトリガ信号を割込みとするソフトウェアプログラムで動作するソフトカウンタや処理部（ＣＰＵ）３１に内蔵するプログラマブルカウンタで実現しても良い。両者の選択は処理部（ＣＰＵ）３１におけるソフトウェアプログラムの処理速度、量（負荷）、システム構成の容易性から決めれば良い。
【０１０６】
また、フレーム計数回路４１及びマルチフレーム計数回路４２の機能は図１に示す送信部のフレーム計数回路２１及びマルチフレーム計数回路２２と兼用する場合には必要ない。
【０１０７】
さらに、逆拡散符号発生回路３７のＰＮ符号発生回路から発生するタイミング信号を図１に示す送信部の拡散符号発生回路１６のＰＮ符号発生回路に取込み、送受のタイミングを合わせれば、これら受信部と送信部との時間軸を合わせることができ、しかも親局６０の送信部６２の時間軸にも合わせることができる。
【０１０８】
本実施例による多ポイント通信システムを用いた競りシステムについて以下説明する。この競りシステムは上述した親局６０による子局５０−１〜５０−ｎの識別や子局５０−１〜５０−ｎ同士の時間軸合わせを用いることで公平性を保つことが可能な競り方法を実現することができる。さらに、後述する絞り込み論理を用いることで、競りにおける落札処理の過程で、複数の購買者から購買の意志が示されている時、一人の落札希望者まで絞り込み、落札処理（落札）の処理時間を短縮することができる。以下に、落札処理について説明する。
【０１０９】
競りが開始され、子局５０−１〜５０−ｎの無線端末機に具備された応札用ボタン５１−１〜５１−ｎが押下されると、フレーム計数回路２１の計数値ｆとマルチフレーム計数回路２２の計数値ｍとは購買意志を提示した時刻の情報とし、購買意志の提示情報とともに親局６０に送られる。
【０１１０】
一方、親局６０では子局５０−１〜５０−ｎの無線端末機から送られてきた競りに参加したい旨を示すアテンド提示に基づき、アテンド提示のあった子局５０−１〜５０−ｎに対して逆拡散符号発生回路３７の逆拡散符号を変え、購買意志と購買意志を提示した時刻とを含む情報が有るか無いかにかかわらずに受信し、情報は処理部（ＣＰＵ）３１の記憶回路にある参照テーブルに保存する。
【０１１１】
図５に示す処理フローに示すように、アテンド提示の確認は予め中央処理装置７０から指示される競りに参加できない子局５０−１〜５０−ｎの情報を基に、競りに参加できる子局５０−１〜５０−ｎに対してのみ逆拡散符号を変えて受信する。また、競り開始通報後はアテンド提示のあった子局５０−１〜５０−ｎに対してのみ逆拡散符号を変えて受信する。
【０１１２】
アテンド提示のあったすべての子局５０−１〜５０−ｎから情報を取得した後、親局６０の処理部（ＣＰＵ）６１は購買者数分の購買の意志と購買意志を提示した時刻とを記録しておく参照テーブル（図示せず）を参照するが、アテンド提示のあった子局５０−１〜５０−ｎに対して購買の意志が予め指定された数（数は概ね３〜４とする）以上提示されている場合には即、競り価格を上げまたは下げ、新しい競り価格を提示するとともに、競りを続行する。
【０１１３】
尚、競り価格の上げまたは下げ幅は予め中央処理装置７０から処理部（ＣＰＵ）６１に指示された値に基づいて、処理部（ＣＰＵ）６１が新しい競り価格を決め、競り（絞り込み）を続行するとともに、新価格を中央処理装置７０と表示装置８０とに送信する。このように、処理部（ＣＰＵ）６１でも競り価格を上げまたは下げることができるので、落札の処理時間を短縮することができる。
【０１１４】
一方、購買の意志提示が予め指定された数未満の場合には購買者から示されているアテンド提示、購買意志の提示、購買意志を提示した時刻をそれぞれ参照し、最も早い時刻（フレーム計数回路２１の計数値ｆとマルチフレーム計数回路２２の計数値ｍとによる）を提示した購買者（落札希望者）に落札させる落札処理を行う。但し、同一時刻である場合には即、競り価格を上げまたは下げ、新しい競り価格を提示するとともに、落札希望者が一人に特定できるまで競り（絞り込み）を続行する。
【０１１５】
落札希望者を一人に特定することができた場合には落札価格、落札者（子局の無線端末機番号）を中央処理装置７０に伝え、また終了を子局５０−１〜５０−ｎ及び中央処理装置７０に伝え、各子局５０−１〜５０−ｎの送信を停止するとともに、競りを終わらせる。
【０１１６】
さらに、競り開始を通報してからある一定時間経過しても購買意志の提示が無かった場合には、購買希望者なしと中央処理装置７０に伝え、競り価格の上げまたは下げ幅で新価格を決め、競りを続行する。中央処理装置７０では購買希望者なしの状態が連続した場合、新たな競りの開始、購買意志数、競り価格、競り価格幅、競りに参加できない子局５０−１〜５０−ｎの情報を親局６０の処理部（ＣＰＵ）６１に送り、再度競りを行う。
【０１１７】
図５に示す処理フローでは中央処理装置７０及び表示装置８０と、親局６０の無線部及び処理部（ＣＰＵ）６１と、子局５０−１〜５０−ｎの無線端末機との３つに分類してそれぞれの主だった処理過程を示している。
【０１１８】
競りの開始に先立って中央処理装置７０は競りの開始、購買意志数、競り価格、競り価格幅、競りに参加できない子局の情報を親局６０の処理部（ＣＰＵ）６１に送る（図５ステップＳ１）。親局６０の処理部（ＣＰＵ）６１はユニークワ−ド（ＵＷ）符号をベースバンド信号に付加し、送信デ−タの一部として親局６０から全ての子局５０−１〜５０−ｎに送り、マルチフレーム同期を取るよう指示するとともに、競りに参加したい旨の意思表示を示すアテンド提示を親局６０に送るよう要求する（図５ステップＳ２，Ｓ３１，Ｓ４１）。
【０１１９】
親局６０は競りに参加できる子局５０−１〜５０−ｎに対し、逆拡散符号発生回路３７の逆拡散符号を変えながらアテンド提示情報を取得する（図５ステップＳ３，Ｓ３２，Ｓ４２）。競りに参加できる全ての子局５０−１〜５０−ｎからアテンド提示情報が送られてきているか否かを判定し（図５ステップＳ４）、もしある一定時間経ってもアテンド提示がない場合には競りに参加する意志がないと判断し、競り開始を通報する（図５ステップＳ３〜Ｓ８，Ｓ３３，Ｓ４３）。尚、競りに必要な情報として競り価格、数量、品名等は予め中央処理装置７０の制御で表示装置８０に表示されている。
【０１２０】
購買者（落札希望者）は表示装置８０に表示されている条件で落札したい場合には、子局５０−１〜５０−ｎの無線端末機に取付けられた押しボタン型の応札用ボタン５１−１〜５１−ｎを押せば良い（図５ステップＳ３４〜Ｓ３７，Ｓ４４〜Ｓ４７）。
【０１２１】
親局６０は競り開始を通報した後（図５ステップＳ８）、アテンド提示の有った子局５０−１〜５０−ｎに対して逆拡散符号を変えながら購買意志の提示、購買意志を提示した時刻情報が有るか無いかにかかわらず情報を受信し、処理部（ＣＰＵ）６１の記憶回路にある参照テーブルに保存する。また、アテンド提示の有った子局に対して逆拡散符号を変えながら情報を受信し、処理部（ＣＰＵ）６１の記憶回路にある参照テーブルに保存する処理は必要に応じて１回または２回、ないし３回実施しても良い。本実施例では１回の処理で行うことを示している（図５ステップＳ１０）。
【０１２２】
次に、処理部（ＣＰＵ）６１は絞り込み論理を実行し、落札希望者を一人に特定することができるまで競り（絞り込み）を続行する（図５ステップＳ９〜Ｓ１９）。また、絞り込み論理を実行する過程で競り価格を変更して再度競りを実行する場合、処理部（ＣＰＵ）６１は新たに競りに参加したい購買者（落札希望者）の意思を反映するため再度、子局５０−１〜５０−ｎのアテンド提示を確認する場合もある（図５のケ−ス２参照）。
【０１２３】
一方、子局５０−１〜５０−ｎの無線端末機の処理部（ＣＰＵ）５２−１〜５２−ｎはアテンド提示と購買意志の提示と購買意志を提示した時刻とを含む情報を１つのパケットにしているが、マルチフレーム同期／アテンド提示要求があってから終了通報があるまで、このパケットを繰返し送出し続ける（図５ステップＳ３１〜Ｓ３８，Ｓ４１〜Ｓ４８）。また、絞り込み論理を実行する過程で、競り価格を変更して再度競りを実行する際、競り開始通報が送られた時も競りに参加する意志が有ればアテンド提示を提示状態にしておくが、購買意志と購買意志を提示した時刻情報とはリセットしている（図５ステップＳ３３，Ｓ４３）。
【０１２４】
中央処理装置７０及び表示装置８０と親局６０の処理部（ＣＰＵ）６１との間では、競りの開始に先立って中央処理装置７０から競りの開始、購買意志数、競り価格、競り価格幅、競りに参加できない子局５０−１〜５０−ｎの情報が親局６０の処理部（ＣＰＵ）６１に送られるが、その他の情報として、競り実行中に新競り価格、落札価格や落札者（子局５０−１〜５０−ｎの無線端末機番号）、終了の情報が親局６０の処理部（ＣＰＵ）６１から中央処理装置７０及び表示装置８０に送られる。
【０１２５】
また、本実施例では明記していないが、競り実行中に、中央処理装置７０から親局６０の処理部（ＣＰＵ）６１へのオブザベ−ション処理として、競り実行の中断、停止、再開始する機能も備えている。
【０１２６】
本実施例では親局６０と複数の子局５０−１〜５０−ｎとの間の通信をＳＳ方式（直接拡散）による無線部で行う例を示しているが、ＳＳ方式の他、ＴＤＭＡ（Ｔｉｍｅ  Ｄｉｖｉｓｉｏｎ  Ｍｕｌｔｉｐｌｅ  Ａｃｃｅｓｓ）方式と、ＴＤＭＡ方式に基づくＴＤＭＡ−ＴＤＤ（ＴＤＭＡ−Ｔｉｍｅ  ＤｉｖｉｓｉｏｎＤｕｐｌｅｘ）方式と、ＳＳ方式（周波数ホッピング）とによる通信システムでも実現することができる。
【０１２７】
ＴＤＭＡ方式では図１に示す送信部で第１次変調部である位相変調回路１２を残し、第２次変調部のスペクトラム拡散回路１６を削除した構成となる。一方、図２に示す受信部では第１次復調部として位相復調回路３２を残し、第２次復調部のスペクトラム逆拡散回路３６を削除した構成となる。
【０１２８】
特に、親局６０から複数の子局５０−１〜５０−ｎへは同報によるＴＤＭの通信形態をとり、１つの無線周波数が必要となる。また、複数の子局５０−１〜５０−ｎから親局６０へは時分割多元接続によるＴＤＭＡの通信形態をとり、やはり１つの無線周波数が必要となる。
【０１２９】
複数の子局５０−１〜５０−ｎから親局６０へはある時間毎にバースト状の区間を１つの子局に割当て、複数の子局５０−１〜５０−ｎ各々が割当てられた区間にそれぞれ情報をはめ込んで親局６０に送る。このバースト状の区間は複数の子局５０−１〜５０−ｎ数分用意され、ある繰り返し周期（フレームとよぶ）の中に順次並べられる。ＴＤＭＡ方式では子局５０−１〜５０−ｎの識別を、ある繰り返し周期の中に順次並べられたバースト状の区間と子局５０−１〜５０−ｎとを対応付ければ、位置関係から用意に判別することができる。
【０１３０】
さらに、フレーム計数回路２１，４１とマルチフレーム計数回路２２，４２とはＴＤＭやＴＤＭＡの通信形態をとる関係上、時間軸の定義やある繰り返し周期を発生させなければならないので、必ず備えている回路である。これらの回路の計数値を時刻情報にすれば、新たな回路を備える必要がない。さらにまた、マイクロプロセッサによる処理部（ＣＰＵ）１１，３１、または本実施例と同じくマイクロプロセッサによる処理部（ＣＰＵ）１１，３１の外に付加した簡単な回路で構成することもできる。
【０１３１】
図６はＴＤＭＡ−ＴＤＤ方式によるフレームの構成を示す図である。図６を参照してＴＤＭＡ−ＴＤＤ方式について説明する。ＴＤＭＡ−ＴＤＤ方式ではＴＤＭＡ方式が２つの無線周波数を使うのに対し、図６に示すように、１つの無線周波数を親局６０から複数の子局５０−１〜５０−ｎへと、複数の子局５０−１〜５０−ｎから親局６０へと時分割して共通に使用する通信形態である。親局６０から複数の子局５０−１〜５０−ｎへはある繰り返し周期（フレームとよぶ）の前半区間を、複数の子局５０−１〜５０−ｎから親局６０へはＴＤＭＡ方式と同じく、バースト状の区間を後半区間に複数の子局５０−１〜５０−ｎ数分用意して順次並べ、この並び順から複数の子局５０−１〜５０−ｎを容易に識別することができる。
【０１３２】
また、フレーム計数回路とマルチフレーム計数回路とはＴＤＭやＴＤＭＡの通信形態をとる関係上、ＴＤＭＡ方式と同様に、時間軸の定義やある繰り返し周期を発生させなければならないので、必ず備えている回路である。これらの回路の計数値を時刻情報にすれば、新たな回路を備える必要がない。さらに、マイクロプロセッサによる処理部（ＣＰＵ）または本実施例と同じくマイクロプロセッサによる処理部（ＣＰＵ）の外に付加した簡単な回路で構成することもできる。
【０１３３】
このように、複数の子局５０−１〜５０−ｎ各々に予め異なる拡散符号を設定しておくことで、複数の子局５０−１〜５０−ｎ各々の識別を行うことができる。また、フレーム計数回路２１，４１及びマルチフレーム計数回路２２，４２各々の計数値を時刻情報とし、この時刻情報の最小値を最先と判断することで、複数の子局５０−１〜５０−ｎ各々からの情報先着順をばらつきを生ずることなく、容易に判断することができる。
【０１３４】
複数の子局５０−１〜５０−ｎ各々のフレーム計数回路４１は逆拡散符号発生回路３７に含まれるＰＮ符号発生回路の符号周期に同期したタイミング信号で動作している。このタイミング信号は親局６０で拡散された変調波と子局５０−１〜５０−ｎのスペクトラム逆拡散回路３６で発生する逆拡散符号の相関（両符号の一致）がとれたところを示す。したがって、全ての子局５０−１〜５０−ｎのスペクトラム逆拡散回路３６で、相関がとれる位置は伝播遅延による差があるものの、ほぼ同じ位置となる。
【０１３５】
一方、マルチフレーム計数回路４２は親局６０から送られるユニークワード（ＵＷ）を信号処理回路３３で検出し、検出された位置（時間軸）でマルチフレーム計数回路４２の計数値を０にリセットしているので、複数の子局５０−１〜５０−ｎ各々の時間軸合わせはＣＰＵの介在によるソフトウェアプログラムで処理することなく、ハードウェアで処理されるので時間軸のずれが発生しない。
【０１３６】
本実施例による多ポイント通信システムを用いた競りシステムにおいては、親局６０の処理部（ＣＰＵ）６１が競りの開始に先立って中央処理装置７０から競りの開始、購買意志数、競り価格、競り価格幅、競りに参加できない子局の情報をもらい、落札処理過程でこれらの情報を基に、中央処理装置７０との通信、問い合わせや指示によらず、独自に処理を進め、アテンド提示のある子局を判別し、その後に応札意思のある子局の時刻情報（フレーム計数回路２１，４１及びマルチフレーム計数回路２２，４２各々の計数値）の最小値を最先と判断しているので、落札処理時間を短縮することができる。
【０１３７】
本実施例による多ポイント通信システムにおいて、１つの親局６０と複数の子局５０−１〜５０−ｎとの間で通信する際、特にある一定時間内、複数の子局５０−１〜５０−ｎから親局６０へ情報伝送が行われる場合、親局６０では子局５０−１〜５０−ｎからの情報が輻輳する。
【０１３８】
従来、輻輳した状況でも子局を識別するために、周波数分割多重方式（ＦＤＭ：Ｆｒｅｑｕｅｎｃｙ  Ｄｉｖｉｓｉｏｎ  Ｍｕｌｔｉｐｌｅ）によるシステムでは子局の無線端末機毎に指定された無線周波数で識別することができる。また、ディジタル伝送方式では特開平９−３１９８００号公報にも示されているように、競りに参加する購買者の識別にＩＤが使われ、他のデ−タに含めて通信相手に送り、それを解析して識別している。
【０１３９】
本実施例では子局５０−１〜５０−ｎの無線端末機毎に異なるスペクトラム拡散符号を割付け、無線端末機とスペクトラム拡散符号とを対応付けした情報を親局６０の処理部（ＣＰＵ）６１に備えることで、容易に、しかもデ−タの中のＩＤを見る必要がないので早く識別することができる。
【０１４０】
また、一定時間内、複数の子局５０−１〜５０−ｎから親局６０へ情報伝送が行われる場合、親局６０では子局５０−１〜５０−ｎからの情報が輻輳する。この場合、もし何の方策も講じなければ、無線で先に購買意志の提示を示す情報を送っても、親局の情報処理タイミング、処理論理または手順によっては、後から購買意志の提示を示す情報を送った子局の無線端末機を持つ購買者（落札希望者）に落札させてしまい、公平性に欠くことがある。これを防ぐため、特開平９−２５９２０１号公報では無線端末の時刻を統一し、伝送デ−タに時刻を付加することで解決している。
【０１４１】
また、特開平９−３１９８００号公報ではタイミングクロックで、特開平１１−３２８２９０号公報では無線端末に計時手段を備え、デ−タ送信時に計時情報を他のデ−タに含めて親局に送ることで、特開平９−１９８５３９号公報では親局が子局にタイマリセットコマンドを送信し、子局のタイマを同期スタートさせ、子局で押しボタンを押すとタイマが停止し、停止後に親局が子局のタイマ値を収集することでそれぞれ公平性の欠如を防いでいる。
【０１４２】
これに対し、本実施例では、ＳＳ方式（直接拡散）やＴＤＭＡ−ＴＤＤ方式等のＴＤＭＡ方式に基づく技術であれば、ある周期性を持ったフレーム計数回路２１，４１が具備されているので、この計数値を時刻情報にしており、新たな時刻処理に関する手段を持つ必要が無く、装置やシステムの構築が容易である。
【０１４３】
本実施例では競りの開始に先立って中央処理装置７０から、購買意志数、競り価格、競り価格幅、競りに参加できない子局５０−１〜５０−ｎの情報を親局６０の処理部（ＣＰＵ）６１で受取り、競りが開始されてから落札されるまでの間、親局６０の処理部（ＣＰＵ）６１の判断で落札処理を行っている。
【０１４４】
特に、競りに参加できない子局５０−１〜５０−ｎ、競りに参加したい旨の意思表示を示すアテンド提示、購買の意志、購買意志を提示した時刻をそれぞれ記録しておく参照テーブルを具備し、競りに参加できない子局５０−１〜５０−ｎの情報についてはデポジット（補償金）額が不足しており、取引に相応しくないと判断した購買者（落札希望者）が持つ子局の無線端末機が示されているので、購買意志の提示があっても排除することができる。また、アテンド提示が無ければ、購買の意志の提示があっても排除することができる。
【０１４５】
さらに、購買の意志の提示が予め指定された数（数は概ね３〜４とする）以上の場合には、予め指示された価格の上下幅に基づいて即、競り価格を上げまたは下げ、新しい競り価格を提示するとともに、競りを続行することができる。
【０１４６】
一方、購買の意志が予め指定された数未満の場合には購買者から示されている購買意志を提示した時刻を参照し、最も早い時刻を提示した購買者（落札希望者）に落札させる落札処理を行うことができる。但し、同一時刻である場合には予め指示された価格の上下幅に基づいて即、競り価格を上げまたは下げ、新しい競り価格を提示するとともに、競りを続行することができる。
【０１４７】
本実施例では上記の機能を絞り込み論理として備えているので、競りが開始されてから一人の購買者（落札希望者）に落札させるまでの落札処理を公正に、しかも中央処理装置７０の介在を少なくすることで、迅速な落札処理を行うことができる。
【０１４８】
尚、請求項の記載に関連して本発明はさらに次の態様をとりうる。
【０１４９】
（１）親局と複数の子局との間で通信を行う多ポイント通信システムであって、前記親局と前記複数の子局との間で通信を行う際にある一定時間内に前記複数の子局から前記親局への情報伝送が行われる場合にスペクトラム拡散方式で前記親局と複数の子局との間で通信を行う無線部と、前記複数の子局から前記親局への通信を行う際に前記複数の子局各々に予め割り付けた前記スペクトラム拡散方式の拡散符号を用いて前記複数の子局各々の識別を行う手段と、前記スペクトラム拡散方式の拡散符号及び逆拡散符号の繰返し周期からなるタイミング信号をＮ分周（Ｎは整数）するＮ分周手段と、前記Ｎ分周手段の出力を計数するフレーム計数回路と、前記フレーム計数回路のカウントアップをトリガとするマルチフレーム計数回路と、前記フレーム計数回路及び前記マルチフレーム計数回路各々の計数値を用いて前記複数の子局間相互の時刻を合わせる手段とを有することを特徴とする多ポイント通信システム。
【０１５０】
（２）  購買意志の提示を行うための応札用ボタンスイッチと、前記応札用ボタンスイッチのオンオフをトリガとして前記フレーム計数回路及び前記マルチフレーム計数回路の計数値をラッチするラッチ手段と、前記応札用ボタンスイッチの押下に応答して前記購買意志の提示と前記ラッチ手段にラッチされた購買意志を提示した時刻とを含む情報及び競りに参加したい旨の意思表示を示すアテンド情報を前記親局に送る手段とを前記複数の子局各々に含むことを特徴とする（１）記載の多ポイント通信システム。
【０１５１】
（３）前記複数の子局からの前記購買意志の提示と前記時刻とを含む情報及び前記アテンド情報を基に前記競りの落札処理を行う手段と、前記落札処理において複数の購買者からの前記競りの参加と前記購買意志とが提示されている時に一人の落札希望者まで絞り込む手段とを前記親局に含むことを特徴とする（２）記載の多ポイント通信システム。
【０１５２】
（４）前記絞り込み論理における購買者数分の前記競りの参加と前記購買意志と前記購買意志を提示した時刻とを記録する参照テーブルと、前記参照テーブルを参照して前記競りの参加と前記購買意志との提示が予め指定された数以上の時に予め指示された競り価格の上下幅に基づいて前記競りの価格を上下させて新しい競り価格を提示しかつ前記競りを続行する手段と、前記競りの参加と前記購買意志との提示が予め指定された数未満の時に前記購買意志を提示した時刻を基に最も早い時刻を提示した購買者に落札させる手段とを前記親局に含むことを特徴とする（３）記載の多ポイント通信システム。
【０１５３】
（５）前記購買意志を提示した時刻が同一時刻である時に予め指示された競り価格の上下幅に基づいて前記競りの価格を上下させて新しい競り価格を提示しかつ前記競りを続行する手段を前記親局に含むことを特徴とする（４）記載の多ポイント通信システム。
【０１５４】
（６）前記フレーム計数回路及び前記マルチフレーム計数回路は、ソフトウェアプログラムによるソフトウェアカウンタ及びマイクロプロセッサ内に具備されたプログラマブルカウンタのうちのいずれかであることを特徴とする（１）から（５）のいずれか記載の多ポイント通信システム。
【０１５５】
（７）前記親局と前記複数の子局との間の通信は、ＴＤＭＡ（Ｔｉｍｅ−Ｄｉｖｉｓｉｏｎ  Ｍｕｌｔｉｐｌｅ  Ａｃｃｅｓｓ）方式による無線部で行うようにしたことを特徴とする（１）から（６）のいずれか記載の多ポイント通信システム。
【０１５６】
（８）前記親局から複数の子局への通信は、ＴＤＭ（Ｔｉｍｅ−Ｄｉｖｉｓｉｏｎ  Ｍｕｌｔｉｐｌｅ）方式による同報を可能とする無線部で行い、  前記複数の子局から前記親局への通信は、前記ＴＤＭＡ方式による時分割多元接続を可能とする無線部で行うようにしたことを特徴とする（７）記載の多ポイント通信システム。
【０１５７】
（９）前記親局と前記複数の子局との間の通信は、前記ＴＤＭＡ方式に基づくＴＤＭＡ−ＴＤＤ［ＴＤＭＡ（Ｔｉｍｅ−Ｄｉｖｉｓｉｏｎ  ＭｕｌｔｉｐｌｅＡｃｃｅｓｓ）  Ｔｉｍｅ−Ｄｉｖｉｓｉｏｎ  Ｄｕｐｌｅｘ］方式による無線部で行うようにしたことを特徴とする（７）記載の多ポイント通信システム。
【０１５８】
（１０）前記親局と前記複数の子局との間の通信は、同一な時間軸でかつある一定時間帯で前記親局から前記複数の子局へＴＤＭ（ＴＤＭ：Ｔｉｍｅ−Ｄｉｖｉｓｉｏｎ  Ｍｕｌｔｉｐｌｅ）方式による同報通信を行い、前記一定時間帯以外の時間帯に前記複数の子局から前記親局へＴＤＭＡ（Ｔｉｍｅ−Ｄｉｖｉｓｉｏｎ  Ｍｕｌｔｉｐｌｅ  Ａｃｃｅｓｓ）方式による時分割多元接続による通信を行うようにしたことを特徴とする（９）記載の多ポイント通信システム。
【０１５９】
【発明の効果】
以上説明したように本発明によれば、親局と複数の子局との間で通信を行う多ポイント通信システムにおいて、親局及び複数の子局各々に設けられかつ複数の子局から親局への情報伝送をスペクトラム拡散方式で行う無線部と、親局に設けられかつ複数の子局各々の識別を複数の子局各々に予め割り付けたスペクトラム拡散方式の拡散符号に基づいて行う手段と、親局及び複数の子局各々に設けられかつスペクトラム拡散方式の拡散符号及び逆拡散符号の繰返し周期からなるタイミング信号をＮ分周（Ｎは整数）するＮ分周手段と、親局及び複数の子局各々に設けられかつＮ分周手段の出力を計数するフレーム計数回路と、親局及び複数の子局各々に設けられかつフレーム計数回路のカウントアップをトリガとするマルチフレーム計数回路と、複数の子局各々に設けられかつフレーム計数回路及びマルチフレーム計数回路各々の計数値を用いて複数の子局間相互の時刻を合わせる手段とを備えることによって、公平性を保つことが可能な競りシステムを実現することができるという効果がある。
【図面の簡単な説明】
【図１】本発明の一実施例による送信部の構成を示すブロック図である。
【図２】本発明の一実施例による受信部の構成を示すブロック図である。
【図３】本発明の一実施例による多ポイント通信システムの構成例を示すブロック図である。
【図４】本発明の一実施例によるフレーム及びマルチフレームのフレ−ム構成を示す図である。
【図５】本発明の一実施例による多ポイント通信システムの処理動作を示すフローチャートである。
【図６】ＴＤＭＡ−ＴＤＤ方式によるフレームの構成を示す図である。
【符号の説明】
１１，３１，
５２−１，５２−ｎ，６１  処理部
１２  位相変調回路
１３，３３  信号処理回路
１４，３４  搬送波発生回路
１５，１９，３５，３９  乗算回路
１６  スペクトラム拡散回路
１７  拡散符号発生回路
１８，３８  Ｎ分周回路
２０  無線送信部
２１，４１  フレーム計数回路
２２，４２  マルチフレーム計数回路
２３，４３  フリップフロップ
２４  ラッチ
２５，５１−１，５１−ｎ  応札用ボタンスイッチ
２６，４４  論理積回路
２７，４５，５６−１，５１−ｎ，６５  アンテナ
３２  位相復調回路
３６  スペクトラム逆拡散回路
３７  逆拡散符号発生回路
４０  無線受信部
５０−１〜５０−ｎ  子局
５３−１，５３−ｎ，６２  送信部
５４−１，５４−ｎ，６３  受信部
５５−１，５５−ｎ，６４  ダイプレクサ
６０  親局
７０  中央処理装置
８０  表示装置
【図１】
0003612489.tif 000002
【図２】
0003612489.tif 000003
【図３】
0003612489.tif 000004
【図４】
0003612489.tif 000005
【図５】
0003612489.tif 000006
【図６】
0003612489.tif 000007